(57)【要約】      （修正有）【課題】薬剤師が患者に対して効率的に服薬指導を行う薬剤師支援システム、薬剤師支援方法及びプログラムを提供する。【解決手段】患者に服薬指導を行う薬剤師を支援する薬剤師支援システムであって、患者に処方された医薬品の特性情報を記憶するデータベースから、薬剤師が服薬指導時に患者に説明すべき特性情報を選出する特性情報選出部と、薬剤師が服薬指導時に使用する情報端末に、特性情報を出力する特性情報出力部と、特性情報についての服薬指導が完了した旨を記憶する指導完了記憶部と、を備える。特性情報選出部は、患者に説明すべき特性情報を選出する際に、該患者への前回の服薬指導時に選出した特性情報とは異なる特性情報を選出する。【選択図】図９
2020184180.tif 000002
【特許請求の範囲】
【請求項１】
患者に服薬指導を行う薬剤師を支援する薬剤師支援システムであって、
患者に処方された医薬品の特性情報を記憶するデータベースから、薬剤師が服薬指導時に患者に説明すべき特性情報を選出する特性情報選出部と、
薬剤師が服薬指導時に使用する情報端末に、特性情報を出力する特性情報出力部と、
特性情報についての服薬指導が完了した旨を記憶する指導完了記憶部と、
を備え、
前記特性情報選出部は、患者に説明すべき特性情報を選出する際に、該患者への前回の服薬指導時に選出した特性情報とは異なる特性情報を選出する、薬剤師支援システム。
【請求項２】
請求項１に記載の薬剤師支援システムであって、
医薬品の特性情報には、該医薬品を服用した場合に生じ得る副作用を示す副作用情報が含まれ、
前記特性情報選出部は、患者に処方された医薬品の副作用情報の中から、前回の服薬指導時に選出した副作用情報とは異なる副作用情報を、該患者に説明すべき特性情報として選出する、薬剤師支援システム。
【請求項３】
請求項１または２に記載の薬剤師支援システムであって、
医薬品の特性情報には、該医薬品を服用する際の注意事項が含まれ、
前記特性情報選出部は、患者に処方された医薬品の注意事項の中から、前回の服薬指導時に選出した注意事項とは異なる注意事項を、該患者に説明すべき特性情報として選出する、薬剤師支援システム。
【請求項４】
請求項１〜３のいずれかに記載の薬剤師支援システムであって、
医薬品の特性情報には、該医薬品を服用した場合に生じ得る重大な副作用を示す重大副作用情報が含まれ、
前記特性情報選出部は、患者に複数の医薬品が処方されている場合に、過去に未選出の重大副作用情報の中で最多の医薬品に重複する重大副作用情報を、該患者に説明すべき特性情報として選出する、薬剤師支援システム。
【請求項５】
請求項４に記載の薬剤師支援システムであって、
前記特性情報選出部は、前記患者に処方された医薬品の重大副作用情報が全て選出済みである場合には、該患者に処方された医薬品の全ての重大副作用情報を未選出の状態にした上で、最多の医薬品に重複する重大副作用情報を、該患者に説明すべき特性情報として選出する、薬剤師支援システム。
【請求項６】
請求項１〜５のいずれかに記載の薬剤師支援システムであって、
医薬品の特性情報には、該医薬品を服用した場合に生じ得る重大な副作用を示す重大副作用情報が含まれ、
前記特性情報選出部は、患者に処方された医薬品の中にハイリスク薬が含まれる場合には、該ハイリスク薬の重大副作用情報の中から、前回の服薬指導時に選出した重大副作用情報とは異なる重大副作用情報を、該患者に説明すべき特性情報として選出する、薬剤師支援システム。
【請求項７】
請求項６に記載の薬剤師支援システムであって、
医薬品の特性情報には、該医薬品を服用して重大な副作用が生じた場合の初期症状を示す初期症状情報が含まれ、
前記特性情報選出部は、前記ハイリスク薬の初期症状情報の中から、前回の服薬指導時に選出した初期症状情報とは異なる初期症状情報を、前記患者に説明すべき特性情報として選出する、薬剤師支援システム。
【請求項８】
請求項１〜７のいずれかに記載の薬剤師支援システムであって、
薬剤師が患者に服薬指導を行った特性情報を薬歴として記憶する薬歴記憶部をさらに備える、薬剤師支援システム。
【請求項９】
患者に服薬指導を行う薬剤師を支援する薬剤師支援方法であって、
コンピュータが、
患者に処方された医薬品の特性情報を記憶するデータベースから、薬剤師が服薬指導時に患者に説明すべき特性情報を選出するステップと、
薬剤師が服薬指導時に使用する情報端末に、特性情報を出力するステップと、
特性情報についての服薬指導が完了した旨を記憶するステップと、
を有し、
患者に説明すべき特性情報を選出するステップにおいて、該患者への前回の服薬指導時に選出した特性情報とは異なる特性情報を選出する、薬剤師支援方法。
【請求項１０】
患者に服薬指導を行う薬剤師を支援するコンピュータに、
患者に処方された医薬品の特性情報を記憶するデータベースから、薬剤師が服薬指導時に患者に説明すべき特性情報を選出するステップと、
薬剤師が服薬指導時に使用する情報端末に、特性情報を出力するステップと、
特性情報についての服薬指導が完了した旨を記憶するステップと、
を実行させるためのプログラムであって、
患者に説明すべき特性情報を選出するステップにおいて、該患者への前回の服薬指導時に選出した特性情報とは異なる特性情報を選出する、プログラム。
【発明の詳細な説明】
【技術分野】
【０００１】
本発明は、薬剤師支援システム、薬剤師支援方法及びプログラムに関する。
【背景技術】
【０００２】
薬剤師は、医師が処方した薬が患者にとって安全で有効かを点検する重要な役割を担っており、患者の生活習慣や薬の服用歴、飲み合わせ、通院歴など様々な情報を考慮して、患者に服薬指導を行っている。
【０００３】
また、このような服薬指導を支援するための技術も開発されている（例えば特許文献１参照）。
【先行技術文献】
【特許文献】
【０００４】
【特許文献１】特開２０１７−１８２７６９号公報
【発明の概要】
【発明が解決しようとする課題】
【０００５】
しかしながら、服薬指導時に患者に説明すべき事項は多岐に亘り、全てを説明するには膨大な時間がかかる。
【０００６】
そのため薬剤師は、限られた時間の中で、患者にとって有用な情報を洩れなく的確に申し伝える必要がある。
【０００７】
本発明はこのような課題を鑑みてなされたものであり、薬剤師が患者に対して効率的に服薬指導を行うことを可能とする薬剤師支援システム、薬剤師支援方法及びプログラムを提供することを目的とする。
【課題を解決するための手段】
【０００８】
本発明の一実施形態の薬剤師支援システムは、患者に服薬指導を行う薬剤師を支援する薬剤師支援システムであって、患者に処方された医薬品の特性情報を記憶するデータベースから、薬剤師が服薬指導時に患者に説明すべき特性情報を選出する特性情報選出部と、薬剤師が服薬指導時に使用する情報端末に、特性情報を出力する特性情報出力部と、特性情報についての服薬指導が完了した旨を記憶する指導完了記憶部と、を備え、前記特性情報選出部は、患者に説明すべき特性情報を選出する際に、該患者への前回の服薬指導時に選出した特性情報とは異なる特性情報を選出する。
【０００９】
その他、本願が開示する課題、及びその解決方法は、発明を実施するための形態の欄の記載、及び図面の記載等により明らかにされる。
【発明の効果】
【００１０】
薬剤師が患者に対して効率的に服薬指導を行うことが可能となる。
【図面の簡単な説明】
【００１１】
【図１】薬剤師支援システムを含む情報システムの全体構成図である。
【図２】薬局端末のハードウェア構成を示す図である。
【図３】薬剤師支援システムのハードウェア構成を示す図である。
【図４】薬剤師支援システムの記憶装置を示す図である。
【図５】薬歴管理データベースを示す図である。
【図６】アンケートデータベースを示す図である。
【図７】薬剤データベースを示す図である。
【図８】薬歴データベースを示す図である。
【図９】薬剤師支援システムの機能構成を示す図である。
【図１０】ログイン画面を示す図である。
【図１１】ホーム画面を示す図である。
【図１２】患者検索画面を示す図である。
【図１３】薬歴検索画面を示す図である。
【図１４】薬歴表示画面（基礎情報メモタブ）を示す図である。
【図１５】薬歴表示画面（チェック一覧タブ）を示す図である。
【図１６】薬歴表示画面（詳細入力タブ）を示す図である。
【図１７】指導ナビ画面を示す図である。
【図１８】薬剤師支援方法を示すフローチャートである。
【発明を実施するための形態】
【００１２】
本明細書および添付図面の記載により、少なくとも以下の事項が明らかとなる。以下、本発明をその一実施形態に即して添付図面を参照しつつ説明する。
【００１３】
＝＝全体構成＝＝
図１に、本発明の一実施形態に係る薬剤師支援システム２００及び薬局端末１００を含む情報システム１０００を示す。薬剤師支援システム２００及び薬局端末１００は、インターネットやＬＡＮ（Local Area Network）、電話網等のネットワーク５００を通じてデータの送受信が可能となるよう接続されている。
【００１４】
薬剤師支援システム２００は、患者に服薬指導を行う薬剤師を支援するためのコンピュータである。薬剤師支援システム２００は、患者の住所、氏名、性別等の患者情報や、患者が薬局で記入した質問票の回答、処方箋の内容や処方箋の発行履歴、薬歴などの様々な情報を記憶しており、薬剤師が患者に服薬指導を行う際に、有用な情報を的確に伝えることができるように、患者に説明すべき項目（副作用や注意事項など）を提示することができる。
【００１５】
また薬剤師支援システム２００は不図示のレセプトコンピュータ（レセコン）と通信可能に接続されている。このレセプトコンピュータに薬剤師が処方箋データを入力すると、レセプトコンピュータは処方箋データをNsips（登録商標）等の共通仕様のフォーマットに変換した上で薬剤師システム２００に送信する。
【００１６】
薬局端末１００は、薬剤師が服薬指導を行う際に使用するコンピュータ（情報端末）であり、本実施形態では、一例として薬局に設置される据え置き型のコンピュータである。もちろん薬局端末１００は、タブレットやノートパソコン等の可搬型のコンピュータであってもよい。
【００１７】
また図１には１つの薬局端末１００が示されているが、薬局端末１００は複数でも良い。薬局端末１００が複数ある場合、これらの薬局端末１００は、同一薬局内で用いられるものでもよいし、異なる薬局で用いられるものでもよい。
【００１８】
なお、上述したレセプトコンピュータは、薬局端末１００と同様に薬局に設置されるコンピュータであるが、薬局端末１００がレセプトコンピュータの機能を備えていてもよい。
【００１９】
薬剤師は、患者が薬局に来店すると、患者から処方箋を受け取るとともに、初めての患者の場合は、質問票への記入をお願いするなどして、患者の日ごろの生活習慣や服用中の薬、通院歴などの情報を聞き取る。
【００２０】
そして薬剤師は、処方箋の内容に問題がないかを確認した後、薬を調剤して患者に渡す。この時に薬剤師は患者に対して、薬の飲み方や副作用の可能性、注意事項などの服薬指導を行うが、薬剤師支援システム２００は、薬剤師が効率的に服薬指導を行えるように、薬局端末１００に対して様々な情報を提示する。
【００２１】
例えば、詳細は後述するが、薬剤師支援システム２００は、薬剤師が服薬指導時に患者に説明すべき項目を列挙した「指導ナビ」画面を薬局端末１００の画面に表示することで、薬剤師の服薬指導をガイドする（図１７参照）。また薬剤師が「指導ナビ」画面に表示されている各項目にチェックを入力することにより、各項目に対する服薬指導を行ったことを薬歴として記録することもできる。また薬剤師は、患者に渡した薬の内容や服薬指導時に患者が話していた内容、体調、心配事、次回来訪時に確認すべき事項などをテキストデータとして薬局端末１００に入力し、薬歴として記録することもできる。
【００２２】
薬剤師支援システム２００は、このような態様により、効率的な服薬指導を実現することができる。
【００２３】
以下、詳細に説明する。
【００２４】
＝＝薬局端末＝＝
まず、薬局端末１００について図２を参照しながら説明する。
【００２５】
薬局端末１００のハードウェア構成図の一例を図２に示す。本実施形態に係る薬局端末１００は、ＣＰＵ（Central Processing Unit）１１０、メモリ１２０、通信装置１３０、記憶装置１４０、入力装置１５０、出力装置１６０、及び記録媒体読取装置１７０を備えて構成されるパソコンやタブレットなどのコンピュータである。
【００２６】
記憶装置１４０は、薬局端末１００によって実行あるいは処理される薬局端末制御プログラム７１０等の各種のプログラムやデータを格納する。
【００２７】
記憶装置１４０に記憶されている薬局端末制御プログラム７１０等の各種のデータがメモリ１２０に読み出されてＣＰＵ１１０によって実行あるいは処理されることにより、薬局端末１００の各種機能が実現される。
【００２８】
ここで、記憶装置１４０は例えばハードディスクやＳＳＤ（Solid State Drive）、フラッシュメモリ等の不揮発性の記憶装置である。
【００２９】
また薬局端末制御プログラム７１０は、本実施形態に係る薬局端末１００が有する機能を実現するためのプログラムを総称しており、例えば、薬局端末１００上で動作するアプリケーションプログラムやＯＳ（Operating System）、種々のライブラリ等を含む。
【００３０】
薬局端末制御プログラム７１０は、ＳＤカード等の記録媒体８００に記録された状態で流通させることや、ネットワーク５００を介して薬剤師支援システム２００や不図示の他のコンピュータから薬局端末１００にダウンロードさせるように流通させることもできる。
【００３１】
前者の場合、記録媒体読取装置１７０が記録媒体８００に記録された薬局端末制御プログラム７１０を読み取り、記憶装置１４０に格納する。後者の場合、通信装置１３０が、ネットワーク５００を介して、薬剤師支援システム２００や不図示の他のコンピュータから薬局端末制御プログラム７１０を取得して記憶装置１４０に格納する。
【００３２】
入力装置１５０は、ユーザによるコマンドやデータの入力を受け付ける各種ボタンやスイッチ、キーボード、タッチパネルディスプレイ上でのタッチ位置を検出するタッチセンサ、マイクなどの入力インタフェース、加速度センサ、温度センサ、ＧＰＳ受信機やコンパスなどの位置検出センサ、カメラなどである。
【００３３】
また出力装置１６０は、例えばディスプレイなどの表示装置、スピーカ、バイブレータ、照明などの出力ユーザインタフェースである。
【００３４】
＝＝薬剤師支援システム＝＝
薬剤師支援システム２００は、図３に示す様に、ＣＰＵ２１０、メモリ２２０、通信装置２３０、記憶装置２４０、入力装置２５０、出力装置２６０、及び記録媒体読取装置２７０を備えて構成される。これらの薬剤師支援システム２００のハードウェア構成は、薬局端末１００のハードウェア構成と必ずしも同じではないものの、基本的な構成は共通である。そのため、これらのハードウェア構成についての重複した説明は省略する。
【００３５】
なお、薬剤師支援システム２００はウェブサーバとして実現されてもよいし、クラウドコンピュータ、あるいは仮想マシンとして実現されてもよい。
【００３６】
薬剤師支援システム２００の記憶装置２４０には、図４に示すように、薬剤師支援システム２００によって実行される薬剤師支援システム制御プログラム７２０や、薬歴管理データベース６００等の各種のプログラムやデータが格納される。
【００３７】
記憶装置２４０に記憶されている薬剤師支援システム制御プログラム７２０や薬歴管理データベース６００等の各種のデータがメモリ２２０に読み出されてＣＰＵ２１０によって実行あるいは処理されることにより、薬剤師支援システム２００の各種機能が実現される。
【００３８】
＜薬歴管理データベース＞
図５に、薬歴管理データベース６００の一例を示す。本実施形態に係る薬歴管理データベース６００は、患者データベース６１０、アンケートデータベース６２０、処方履歴データベース６３０、処方箋データベース６４０、薬歴データベース６５０、薬剤データベース６６０を備えている。
【００３９】
患者データベース６１０は、薬局を訪れた患者の氏名や住所、生年月日、性別、患者番号、保険証の番号等の患者に関する情報を記憶するデータベースである。
【００４０】
アンケートデータベース６２０は、患者に記入をお願いした質問票の回答内容を記憶するデータベースである。アンケートデータベース６２０の一例を図６に示す。
【００４１】
アンケートデータベース６２０には、例えば患者がジェネリック薬を希望するか否か、アレルギー症状を持っているか、たばこを吸うか否かなど、様々な情報が記憶されている。薬剤師は、服薬指導の際に、このアンケートデータベース６２０の記載内容を適宜参照しながら、患者に対して服用時の注意事項の説明などを行うことができる。また薬剤師支援システム２００は、このアンケートデータベース６２０の記載内容をもとに、後述する「指導ナビ」（図１７参照）に表示する指導項目を適切に選出することもできる。
【００４２】
図５に戻って、処方履歴データベース６３０には、患者が薬局に来店した日時の履歴が記録されている。
【００４３】
処方箋データベース６４０には、医師が作成した処方箋の内容が記録されている。具体的には、処方箋データベース６４０には、処方箋を発行した医療機関の名称や医師名、処方された医薬品、用法、用量などの情報が記載されている。
【００４４】
薬剤データベース６６０は、処方箋データベース６４０に記載されている医薬品に関連づけられて、患者に処方された医薬品の特性情報を記憶している。薬剤データベース６６０の一例を図７に示す。
【００４５】
薬剤データベース６６０には、医薬品毎に、薬剤名をはじめ、ハイリスク薬に該当するか否か、禁忌事項、効能や効果、副作用、相互作用、注意事項等の医薬品の特性情報が記載された各欄を有している。また副作用の欄は、「主な副作用」「重大な副作用及び初期症状」の各欄を有している。
【００４６】
本実施形態では、薬剤データベース６６０に記録されているこれらの内容は、各医薬品の製薬会社により発行される添付文書をもとに別途構築された医薬品の特性情報を記憶する不図示のデータベースから、薬剤師支援システム２００によって随時取得される。
【００４７】
なお、ハイリスク薬について我が国では現時点で明確な定義はなされていないが、本実施形態では、日本薬剤師会「薬局におけるハイリスク薬の薬学的管理指導に関する業務ガイドライン」に記載されているように、厚生労働省科学研究「医薬品の安全使用のための業務手順書」作成マニュアルや調剤報酬点数表等に列挙されている分類に含まれるものをハイリスク薬としている。
【００４８】
また禁忌、効能、効果、副作用、相互作用、注意事項、初期症状、重大な副作用等の各用語は、本実施形態では、製薬会社によって作成される各医薬品の添付文書の記載に従って使用している。
【００４９】
なお、重大な副作用は、重篤な副作用と表現されることもあるが、本実施形態では同じ意味である。
【００５０】
そして薬剤師支援システム２００は、図１７に示すような「指導ナビ」画面を薬局端末１００に表示する際に、薬剤データベース６６０に記載されている医薬品の特性情報の中から、服薬指導時に説明すべき特性情報を選出する。
【００５１】
例えば図１７に示す「指導ナビ」画面のハイリスク薬指導の欄には、重大副作用として「出血」と表示されているが、これは、薬剤師支援システム２００が、図７の薬剤データベース６６０の「副作用」欄の中のさらに「重大な副作用及び初期症状」欄に記載されている「出血」を選出して表示したものである。
【００５２】
そして薬剤師支援システム２００は、今回薬剤データベース６６０から「出血」を選出したことを薬剤データベース６６０に記憶しておき（図７では「出血」の文字を四角で囲むことで「出血」が選出されたことを表現している）、次回、同一患者に同一薬剤が処方された場合には、「重大な副作用」として「出血」とは異なるもの（例えば「アナフィラキシー様症状」）を選出して「指導ナビ」に表示する。
【００５３】
このように、本実施形態に係る薬剤師支援システム２００は、薬剤師が服薬指導時に患者に説明すべき全ての事項を薬局端末１００に表示するのではなく、これまで患者に説明していないものを表示するので、薬剤師は重複した説明を行うことなく効率的に服薬指導を行うことが可能となる。また患者にとっても、一度にすべての事項を説明されても理解しきれない可能性が高いため、本実施形態のように適切に選出された事項について服薬指導を受けることで、指導効果を高めることができる。
【００５４】
さらに、薬剤師支援システム２００は、薬剤師が服薬指導時に患者に説明するべき事項を選出する際に、前回選出した事項とは異なるものを選出することで、説明事項が偏りなく選出されるため、説明漏れを防止し、服薬指導を徹底することができる。
【００５５】
ただし、例えば今回処方された医薬品が１か月分あり、患者が所定期間（例えば１週間）以上薬局を訪問しないことが見込まれる場合には、薬剤師支援システム２００は、今回の服薬指導時に説明すべき項目の数を増やすようにしてもよい。またこの場合、薬剤師支援システム２００は、患者が次回薬局を訪問するまでの期間が長いほどより多くの個数の項目を選出するようにするとよい。
【００５６】
あるいは、薬剤師支援システム２００が一度の服薬指導の際に選出する特性情報の数を薬剤師が自由に指定できるようにしてもよい。
【００５７】
なお上述したように、本実施形態に係る薬剤師支援システム２００は薬剤師が服薬指導時に患者に説明した事項を薬剤データベース６６０に記憶しておくので、その後患者が薬局を長期間訪れなかったとしても、次回その患者が薬局を訪れた際に、同一医薬品が処方されている場合には、前回と重複した説明を行わないようにすることができる。
【００５８】
もちろん、薬剤師支援システム２００は、一定期間以上患者が薬局を訪れない場合には、前回の服薬指導時の説明事項を消去するようにしてもよい。
【００５９】
図５に戻って、薬歴データベース６５０には、処方された医薬品の内容や調剤内容、患者の体質、既往歴、加療中の疾患、併用薬、体調、服薬状況などの薬歴が記録されている。薬歴データベース６５０の一例を、図８に示す。
【００６０】
薬剤師支援システム２００は、薬剤師が薬局端末１００に薬歴として直接入力したテキストデータを薬歴データベース６５０に記録するほか、図１７に示した「指導ナビ」のように、薬剤師支援システム２００が薬局端末１００に表示した指導項目（医薬品の特性情報）に従って服薬指導が行われた場合に、その指導項目の内容も記録する。このような態様により、服薬指導時の指導内容を洩れなく薬歴として記録することが可能となる。
【００６１】
なお本実施形態に係る薬歴には、薬剤師法、同法施行規則、及び厚生労働省令で定められている調剤録を含むが、例えば、処方内容が書いてある項目や申送り等の内容が書いてある項目、チェック一覧、基礎情報メモなど、様々な情報も含む。
【００６２】
そして薬剤師支援システム２００は、例えば図１６に示すように薬局端末１００に薬歴を表示する。薬剤師支援システム２００は、患者が薬局を来訪した日付ごとに薬歴を表示することができる。図１６に示す例では、画面が大きく４つの列に分かれており、左から１列目に、前々回に患者が来訪した際の薬歴が表示され、左から２列目に前回来訪時の薬歴が表示されている。そして左から３列目および４列目に、今回の薬歴が処方内容とともに表示されている。
【００６３】
このような態様により、薬剤師は、患者の薬歴の推移を確認しながら患者に服薬指導を行うことができるので、例えば前回からの申し送り事項をもれなく確認できるなど、より的確できめ細やかに服薬指導を行うことが可能となる。
【００６４】
＜機能構成＞
次に薬剤師支援システム２００の機能構成図の一例を図９に示す。本実施形態に係る薬剤師支援システム２００は、特性情報選出部２０１、特性情報出力部２０２、指導完了記憶部２０３、及び薬歴記憶部２０４の各機能を含む。
【００６５】
これらの各機能は、薬剤師支援システム２００のハードウェアによって本実施形態に係る薬剤師支援システム制御プログラム７２０が実行されることにより実現される。
【００６６】
特性情報選出部２０１は、患者に処方された医薬品の特性情報（副作用情報や注意事項など）を記憶するデータベースから、薬剤師が服薬指導時に患者に説明すべき特性情報を選出する。
【００６７】
本実施形態では、上記データベースは、医薬品の添付文書をもとに別途構築された外部のデータベース（不図示）であり、特性情報選出部２０１が、患者に処方された医薬品について、このデータベースから特性情報をネットワーク５００を介して取得して薬剤データベース６６０に一旦記憶する。そして特性情報選出部２０１は、上記薬剤データベース６６０に記憶された患者に処方された医薬品の特性情報の中から、薬剤師が服薬指導時に患者に説明すべき特性情報を選出する。
【００６８】
このような態様により、薬剤師支援システム２００は、特性情報を取得する際に毎回外部のデータベースに接続しなくて済むようにできるので、高速に特性情報を取得することが可能となる。
【００６９】
そして特性情報選出部２０１は、薬剤師が服薬指導時に患者に説明すべき特性情報を選出する際に、前回の服薬指導時に選出した特性情報とは異なる特性情報を選出する。
【００７０】
このような態様により、薬剤師が服薬指導時に説明すべき事項が毎回全て薬局端末１００に表示されるのではなく、薬剤師支援システム２００によって適切に選出されたこれまで患者に説明していないものが表示されるので、薬剤師は重複した説明を行うことなく効率的に服薬指導を行うことが可能となる。また患者にとっても、一度にすべての事項を説明されても理解しきれない可能性が高いため、本実施形態のように適切に選出された事項について服薬指導を受けることで、指導効果を高めることができる。また服薬指導時の説明の内容が前回と重複しないため、患者にとっても毎回同じことを説明されずに済むし、また薬剤師にとっても医薬品の様々な情報を幅広く洩れなく説明することができる。このため、薬剤師が患者に対して効率的に服薬指導を行うことが可能となる。
【００７１】
なお薬剤師支援システム２００は、外部のデータベースが最新情報に更新された場合には、その都度、薬剤データベース６６０の内容も最新情報に更新するようにしている。また薬剤師支援システム２００は、医薬品の特性情報を直接外部のデータベースから取得するようにしてもよい。
【００７２】
特性情報出力部２０２は、薬剤師が服薬指導時に使用する薬局端末１００に、上記選出した特性情報を出力する。例えば特性情報出力部２０２は、図１７に示した「指導ナビ」画面に特性情報を出力する。
【００７３】
そして上記特性情報についての服薬指導が完了すると、指導完了記憶部２０３は、その旨を記憶する。本実施形態では、指導完了記憶部２０３は薬剤データベース６６０あるいは薬歴データベース６５０により具現化される。
【００７４】
例えば図１７に示した「指導ナビ」画面に表示された特性情報に関して患者への服薬指導が完了した場合に、薬剤師がマウスを用いてチェックボックス欄にチェックを入力し、「薬歴に反映」と記載されたボタンをクリックすることで、指導完了記憶部２０３は、チェックされた特性情報について患者への説明が完了したことを薬歴として記憶する。
【００７５】
薬剤師支援システム２００は、このような態様により薬歴の入力を容易化しており、効率的な服薬指導を実現することができる。
【００７６】
＝＝薬剤師支援方法＝＝
次に、本実施形態に係る薬剤師支援システム２００を用いた薬剤師支援方法を、薬局端末１００に表示される図１０〜図１７に示した画面の遷移、及び図１８に示すフローチャートを参照しながら説明する。
【００７７】
まず、薬局端末１００がブラウザ（薬局端末制御プログラム７１０に含まれる）を実行し、薬剤師支援システム２００のＵＲＬ（Uniform Resource Locator）を指定した接続要求を送信すると、薬剤師支援システム２００は薬局端末１００に、図１０に示すログイン画面を送信する。
【００７８】
薬剤師がこのログイン画面に自己のユーザ名およびパスワードを入力して、薬剤師支援システム２００によって承認されると、薬剤師支援システム２００は、薬局端末１００に図１１に示すホーム画面を送信する。
【００７９】
図１１に示すホーム画面において、薬剤師は患者の薬歴を検索することができる。図１１に示すように、本実施形態では、薬歴の検索方法として「患者検索」と「薬歴検索」の２種類がある。
【００８０】
「患者検索」画面は、名前や生年月日から患者を検索可能な画面である。「薬歴検索」画面は、調剤日から患者を検索可能な画面で、例えば今日調剤を受けた患者の一覧を表示することができる。
【００８１】
「患者検索」が選択されると、薬剤師支援システム２００は、図１２に示す患者検索画面を薬局端末１００に送信する。
【００８２】
図１２に示す患者検索画面において、患者番号や患者氏名等の検索条件が入力されると、薬剤師支援システム２００は薬歴管理データベース６００から検索条件に該当する情報を抽出して、検索結果を薬局端末１００に送信する。
【００８３】
検索結果に表示される各患者には、適宜、患者マークが付されている。患者マークは例えば一包化を希望する患者の場合は「包」、在宅介護の場合は「介」等、薬局側で任意に設定することができる。
【００８４】
薬剤師は、検索結果の中から該当する患者を選択して「指導開始」ボタンをマウスでクリックする。そうすると、薬剤師支援システム２００は、図１４に示す薬歴表示画面を薬局端末１００に送信する（S1000）。
【００８５】
一方、図１１のホーム画面において「薬歴検索」が選択されると、薬剤師支援システム２００は、図１３に示す薬歴検索画面を薬局端末１００に送信する。
【００８６】
図１３に示す薬歴検索画面において、調剤日や患者氏名等の検索条件が入力されると、薬剤師支援システム２００は薬歴管理データベース６００から検索条件に該当する情報を抽出して、薬局端末１００に送信する。
【００８７】
そして薬剤師は、検索結果の中から該当する薬歴を選択して「指導開始」ボタンをマウスでクリックする。そうすると、薬剤師支援システム２００は、図１４に示す薬歴表示画面を薬局端末１００に送信する（S1000）。
【００８８】
薬剤師は、図１４示す薬歴表示画面を参照しながら、患者に対して服薬指導を行う(S1010)。
【００８９】
薬歴表示画面は、大きく４つの列から構成されており、左から１列目に、前々回に患者が来訪した際の薬歴が表示され、左から２列目に前回来訪した際の薬歴が表示されている。そして左から３列目および４列目に、今回の薬歴が処方内容とともに表示されている。
【００９０】
図１４の薬歴表示画面の左から３列目には、今回患者に処方された医薬品が一覧表示されている。そしてこれらの医薬品の一覧において、「日変」と記載されている医薬品は、前回の服薬指導時と比べて服用日数が変更されたことを示す。また「量変」と記載されている医薬品は、前回の服薬指導時と比べて１回の服用量が変更されたことを示す。
【００９１】
また「▲」は、前回処方されていないが、過去に処方されたことがある薬であることを示す。このマークをクリックすると、過去の処方日と処方された病院が表示される。「初投」は、初回投与の薬であることを示す。「▼」は、前回処方されたが、今回は処方されなかった薬を示す。
【００９２】
「H」はハイリスク薬であることを示す。「禁」は、併用禁忌の薬剤または飲食物等がある場合に表示される。
さらに、レセコンに入力された加算内容に応じて、「薬A」や「特管」などのマークが表示される。「薬A」は、お薬手帳を提出した人の区分を示す。薬A〜Dまで表示される。
【００９３】
「特管」は、特定薬剤管理指導加算の略であり、ハイリスク薬について指導した場合に加算される。
【００９４】
その他、図示はしていないが、「薬A」や「特管」が表示されている領域に、処方された薬剤に対する指導や処方された人に応じた加算に対応するマークとして「麻薬」「乳幼」「重複」等がある。
【００９５】
また薬歴表示画面の左から３列目において「併用薬」と記載された欄は、他の医療機関に処方された医薬品や市販薬など、患者が現在服用中の医薬品を示し、アンケートデータベース６２０に記憶されている情報が表示されている。
【００９６】
そして図１４の薬歴表示画面の左から４列目において、「チェック一覧」タブが選択されると、薬局端末１００は図１５に示すチェック一覧タブを表示する。
【００９７】
そして薬剤師は、患者と会話をしながら「他科受診」の有無や「併用薬」の有無、「合併症」の有無などを確認し、マウス操作により確認結果を入力することができる。「保存」ボタンがマウスでクリックされると、薬剤師支援システム２００は、これらの入力内容を薬歴として薬歴データベース６５０に記録する。
【００９８】
また図１４または図１５の薬歴表示画面の左から４列目において、「詳細入力」タブを選択すると、薬局端末１００は、図１６に示す詳細入力タブを表示する。
【００９９】
詳細入力タブには、「服薬指導」「副作用」「加算」「処方変化」「ＤＳＵ」「処方監査」「疑義照会」「検査値」「指導ナビ」のボタンが表示されており、薬剤師は、適宜これらのボタンを選択して、服薬指導を行う。
【０１００】
順に説明すると、まず「服薬指導」が選択されると、薬剤師支援システム２００は、薬剤データベース６６０から今回患者に処方された各医薬品の効能・効果欄、禁忌欄、相互作用欄、注意事項欄に記載されている医薬品の各特性情報を読みだして、薬局端末１００に表示する（不図示）。これにより薬剤師は、今回処方された各医薬品の効能や禁忌、他の医薬品との注意すべき飲み合わせ、その他注意事項について、患者に詳しく説明することができる。
【０１０１】
「副作用」が選択されると、薬剤師支援システム２００は、薬剤データベース６６０から今回患者に処方された各医薬品の副作用欄に記載されている副作用情報を取得して、薬局端末１００に表示する（不図示）。これにより薬剤師は、今回処方された医薬品の副作用について、詳細に患者に説明をすることができる。
【０１０２】
「加算」欄が選択されると、薬剤師支援システム２００は、今回患者に処方された各医薬品のうちの特にハイリスク薬に関して、薬剤データベース６６０から効能・効果欄や禁忌欄、相互作用欄、注意事項欄、副作用欄に記載されている各特性情報を取得して、薬局端末１００に表示する（不図示）。これにより薬剤師は、服用にあたって特に注意が必要なハイリスク薬に関して、効能や禁忌、他の医薬品との注意すべき飲み合わせ、副作用、その他注意事項について、患者に詳しく説明をすることができる。
【０１０３】
「処方変化」欄が選択されると、薬剤師支援システム２００は、今回の処方箋の内容と、前回の処方箋の内容、前々回の処方箋の内容を比較し、用法や用量、日数などの変化部分を抽出して薬局端末１００に表示する（不図示）。これにより薬剤師は、今までとは飲み方が変わる医薬品について、患者に説明をすることができる。
【０１０４】
「ＤＳＵ」が選択されると、薬剤師支援システム２００は、今回処方された医薬品の添付文書の更新情報を表示する（不図示）。これにより薬剤師は、例えば新たに公表された副作用や飲み合わせ、注意点などの最新の情報を患者に説明することが可能となる。
【０１０５】
「処方監査」が選択されると、薬剤師支援システム２００は、注意すべき医薬品の飲み合わせを抽出する。例えば薬剤師支援システム２００は、心不全や糖尿病などの特定の疾患に対して適応を持つ第１薬剤と、この疾患に禁忌である第２薬剤との組合せを抽出して表示する（不図示）。例えば第１薬剤が処方薬で第２薬剤が市販薬であるような場合は、このような禁忌の組み合わせは医師も気付きにくいが、本実施形態のような態様により、このような特定の疾患の患者の場合だけ禁忌となる薬の飲み合わせにも気付くことができる。
【０１０６】
「疑義照会」が選択されると、薬剤師は医師に対して問い合わせた内容を入力することができ、保存することで薬歴に反映される。なお、医師に対する問い合わせ文を入力し、薬剤師支援システム２００からこの問い合わせ文を医療機関に送信してもよい。
【０１０７】
「検査値」が選択されると、薬剤師支援システム２００は、今回患者に処方された各医薬品に対して、薬歴データベース６５０に入力されている臨床検査の異常値から患者の病態を推測し、その病態が添付文書上禁忌や慎重投与となっていないかどうかをチェックする。
【０１０８】
「指導ナビ」が選択されると(S1020)、薬剤師支援システム２００は薬歴管理データベース６００を参照して、今回の服薬指導において薬剤師が患者に説明すべき医薬品の特性情報を選出した上で、「指導ナビ」画面を作成する(S1030)。上述したように、薬剤師支援システム２００は、前回の服薬指導時に選出した特性情報とは異なる特性情報を選出する。
【０１０９】
そして薬剤師支援システム２００は、図１７に例示する「指導ナビ」画面を薬局端末１００に送信する(S1040)。
【０１１０】
「指導ナビ」画面は、薬剤師が服薬指導を効率的に行えるようにするための画面であり、図１７に示す例では、「処方変化」「ハイリスク薬指導」「副作用確認」「処方監査」「服薬指導」の各項目が表示されている(S1050)。そして薬剤師支援システム２００は、「ハイリスク薬指導」「副作用確認」「処方監査」「服薬指導」の各項目については、薬剤師が服薬指導時に患者に説明するべき事項を薬剤データベース６６０に記載されている医薬品の特性情報の中から適宜選出して提示する。
【０１１１】
なお「指導ナビ」に表示される各項目は、処方箋の内容によって変わり、例えばハイリスク薬が処方されていなければ、「ハイリスク薬指導」の欄は表示されない。
【０１１２】
「処方変化」の欄には、今回の処方箋の内容と、前回の処方箋の内容とを比較した場合の用法や用量、日数などの変更内容が表示される。これにより薬剤師は、今回新たに処方された医薬品や、今までとは飲み方が変わる医薬品について、患者に詳しく説明をすることができる。
【０１１３】
「ハイリスク薬指導」の欄には、患者に処方された医薬品の中にハイリスク薬が含まれる場合に、このハイリスク薬の重大な副作用（重大副作用情報）と初期症状（初期症状情報）が表示される。上述したように、これらの表示内容は、薬剤師支援システム２００が薬剤データベース６６０に記憶されている医薬品の特性情報の中から選出したものであるが、前回選出した特性情報とは異なるものが選出されている。このような態様により薬剤師は、服用にあたって特に注意が必要なハイリスク薬に関して、重大な副作用及びその初期症状の有無について効率的に患者に確認をすることができる。
【０１１４】
なお図１７に示す例では、ハイリスク薬であるＦ錠の重大な副作用として「出血」が表示されている。そしてこの「出血」の初期症状として「めまい」「突然の激しい頭痛」が表示されている。
【０１１５】
「指導ナビ」画面の「副作用確認」の欄には、患者に処方された医薬品の重大な副作用（重大副作用情報）とその初期症状（初期症状情報）が表示される。これらの表示内容は、上記ハイリスク薬指導の項目と同様に、薬剤データベース６６０に記憶されている医薬品の特性情報の中から薬剤師支援システム２００によって選出されたものであるが、特に、患者に複数の医薬品が処方された場合には、過去に未選出（未表示）の重大な副作用の中で最多の医薬品に重複する重大な副作用が選出される。言い換えれば、薬剤師支援システム２００は、患者に処方された各医薬品の重大な副作用を、重複する医薬品が多い順に「指導ナビ」画面に表示する。図１７の例では、「副作用確認」欄には、Ｆ錠、Ｈ錠、Ｊ、Ｑ錠の重大な副作用として「アナフィラキシー様症状」が表示されている。そしてこの「アナフィラキシー様症状」の初期症状として「気分が悪い」「冷や汗が出る」が表示されている。
【０１１６】
もう少し説明すると、薬剤師支援システム２００は、例えば、薬剤A、B、Cを処方され、「副作用確認」の欄に「出血」が表示されていた場合、次回処方時に薬剤A、B、Dで同じ「出血」が共通の重大な副作用であっても前回「出血」については確認をしているので、出血については表示済みとしてカウントする。このことは、薬剤がすべて異なる場合であっても同様である。
【０１１７】
また、処方された薬剤が前回と異なる場合は、薬剤師支援装置２００は、前回表示した重大な副作用をクリアして表示するようにしてもよい。
【０１１８】
このように、重大な副作用が共通する複数の医薬品が処方された場合には、より多くの医薬品に共通する重大な副作用の方が、他の重大な副作用よりも発症する可能性が高いと考えられるため、重複する医薬品の数が多い順に重大な副作用を患者に説明することにより、重大な副作用が発生しているか否かをより確実に確認することができる。
【０１１９】
なお、薬剤師支援システム２００は、患者に処方された複数の医薬品の重大な副作用が全て選出済みとなった場合には、患者に処方された医薬品の全ての重大な副作用を未選出の状態に戻した上で、最多の医薬品に重複する重大副作用情報を、患者に説明すべき特性情報として選出する。つまり、薬剤師支援システム２００は、重大な副作用を一通り全て選出した場合は、次回は、再度最初から（重複する医薬品が最も多い重大な副作用から）重大な副作用を選出する。このような態様により、継続的に重大な副作用の有無を患者に確認することが可能となる。
【０１２０】
「処方監査」の欄には、相互作用に注意が必要な医薬品の組み合わせが表示される。例えば、今回処方された医薬品に第１薬剤と第２薬剤が含まれている場合に、第１薬剤は心不全に対して適応を持ち、第２薬剤は心不全に禁忌である場合には、その旨が表示される。このような態様により、特定の疾患の患者の場合だけ禁忌となる薬の飲み合わせにも気付くことが可能となる。なお図１７に示す例では、そのような医薬品の組み合わせはないことが表示されている。
【０１２１】
「服薬指導」の欄には、今回患者に処方された各医薬品の効能や副作用、注意事項が表示される。これらの表示内容は、薬剤データベース６６０に記憶されている医薬品の効能・効果欄、主な副作用欄（副作用情報）、注意事項欄に記載されている特性情報の中から薬剤師支援システム２００によって選出されたものである。
【０１２２】
なお薬剤師支援システム２００は、医薬品の効能については毎回同じ内容を表示するが、副作用及び注意事項については前回の服薬指導時に選出した情報とは異なる情報を表示する。このような態様により、患者にとって重要な医薬品の効能については毎回確実に説明することができ、一方、副作用や注意事項については、内容が多岐にわたることから、毎回少しずつ様々な角度から患者に説明を行うことで、薬剤師及び患者の双方の負担軽減を図ることが可能となる。
【０１２３】
薬剤師は、「指導ナビ」を参照しながら上記の各項目について患者に説明をするが、各項目についての服薬指導が終わるごとにチェックボックスにチェックを入力する。そして薬剤師が「薬歴に反映」ボタンをクリックすると(S1060)、薬局端末１００から薬剤師支援システム２００に、チェックが入力された項目を示す情報を含む薬歴反映指示が送信される（S1070）。
【０１２４】
そして薬剤師支援システム２００は、薬歴反映指示に含まれている各項目の特性情報についての服薬指導が完了した旨を薬歴データベース６５０に記録する(S1080)。このように、薬剤師支援システム２００は、服薬指導が完了した特性情報を記録しておくことにより、次回の服薬指導時に別の特性情報を選出し、「指導ナビ」画面に表示することができる。
【０１２５】
以上、本実施形態に係る薬剤師支援システム２００、薬剤師支援方法及びプログラムについて説明したが、本実施形態によれば、薬剤師が患者に対して効率的に服薬指導を行うことが可能となる。
【０１２６】
なお上述した実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【０１２７】
１００    薬局端末
１１０    ＣＰＵ
１２０    メモリ
１３０    通信装置
１４０    記憶装置
１５０    入力装置
１６０    出力装置
１７０    記録媒体読取装置
２００    薬剤師支援システム
２０１    特性情報選出部
２０２    特性情報出力部
２０３    指導完了記憶部
２０４    薬歴記憶部
２１０    ＣＰＵ
２２０    メモリ
２３０    通信装置
２４０    記憶装置
２５０    入力装置
２６０    出力装置
２７０    記録媒体読取装置
５００    ネットワーク  
６００    薬歴管理データベース
６１０    患者データベース
６２０    アンケートデータベース
６３０    処方履歴データベース
６４０    処方箋データベース
６５０    薬歴データベース
６６０    薬剤データベース
７１０    薬局端末制御プログラム
７２０    薬剤師支援システム制御プログラム
８００    記録媒体
１０００  情報システム
【図１】
2020184180.tif 000003
【図２】
2020184180.tif 000004
【図３】
2020184180.tif 000005
【図４】
2020184180.tif 000006
【図５】
2020184180.tif 000007
【図６】
2020184180.tif 000008
【図７】
2020184180.tif 000009
【図８】
2020184180.tif 000010
【図９】
2020184180.tif 000011
【図１０】
2020184180.tif 000012
【図１１】
2020184180.tif 000013
【図１２】
2020184180.tif 000014
【図１３】
2020184180.tif 000015
【図１４】
2020184180.tif 000016
【図１５】
2020184180.tif 000017
【図１６】
2020184180.tif 000018
【図１７】
2020184180.tif 000019
【図１８】
2020184180.tif 000020
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
患者に服薬指導を行う薬剤師を支援する薬剤師支援システムであって、
患者に処方された医薬品の特性情報を記憶するデータベースから、薬剤師が服薬指導時に患者に説明すべき特性情報を選出する特性情報選出部と、
薬剤師が服薬指導時に使用する情報端末に、患者に説明すべき特性情報を出力する特性情報出力部と、
特性情報についての服薬指導が完了した旨を記憶する指導完了記憶部と、
を備え、
前記特性情報選出部は、患者に説明すべき特性情報を選出する際に、該患者への前回の服薬指導時に選出した特性情報を選出しないことにより、該特性情報とは異なる特性情報を選出する、薬剤師支援システム。
【請求項２】
請求項１に記載の薬剤師支援システムであって、
医薬品の特性情報には、該医薬品を服用した場合に生じ得る副作用を示す副作用情報が含まれ、
前記特性情報選出部は、患者に処方された医薬品の副作用情報の中から、前回の服薬指導時に選出した副作用情報とは異なる副作用情報を、該患者に説明すべき特性情報として選出する、薬剤師支援システム。
【請求項３】
請求項１または２に記載の薬剤師支援システムであって、
医薬品の特性情報には、該医薬品を服用する際の注意事項が含まれ、
前記特性情報選出部は、患者に処方された医薬品の注意事項の中から、前回の服薬指導時に選出した注意事項とは異なる注意事項を、該患者に説明すべき特性情報として選出する、薬剤師支援システム。
【請求項４】
請求項１〜３のいずれかに記載の薬剤師支援システムであって、
医薬品の特性情報には、該医薬品を服用した場合に生じ得る重大な副作用を示す重大副作用情報が含まれ、
前記特性情報選出部は、患者に複数の医薬品が処方されている場合に、過去に未選出の重大副作用情報の中で最多の医薬品に重複する重大副作用情報を、該患者に説明すべき特性情報として選出する、薬剤師支援システム。
【請求項５】
請求項４に記載の薬剤師支援システムであって、
前記特性情報選出部は、前記患者に処方された医薬品の重大副作用情報が全て選出済みである場合には、該患者に処方された医薬品の全ての重大副作用情報を未選出の状態にした上で、最多の医薬品に重複する重大副作用情報を、該患者に説明すべき特性情報として選出する、薬剤師支援システム。
【請求項６】
請求項１〜５のいずれかに記載の薬剤師支援システムであって、
医薬品の特性情報には、該医薬品を服用した場合に生じ得る重大な副作用を示す重大副作用情報が含まれ、
前記特性情報選出部は、患者に処方された医薬品の中にハイリスク薬が含まれる場合には、該ハイリスク薬の重大副作用情報の中から、前回の服薬指導時に選出した重大副作用情報とは異なる重大副作用情報を、該患者に説明すべき特性情報として選出する、薬剤師支援システム。
【請求項７】
請求項６に記載の薬剤師支援システムであって、
医薬品の特性情報には、該医薬品を服用して重大な副作用が生じた場合の初期症状を示す初期症状情報が含まれ、
前記特性情報選出部は、前記ハイリスク薬の初期症状情報の中から、前回の服薬指導時に選出した初期症状情報とは異なる初期症状情報を、前記患者に説明すべき特性情報として選出する、薬剤師支援システム。
【請求項８】
請求項１〜７のいずれかに記載の薬剤師支援システムであって、
薬剤師が患者に服薬指導を行った特性情報を薬歴として記憶する薬歴記憶部をさらに備える、薬剤師支援システム。
【請求項９】
患者に服薬指導を行う薬剤師を支援する薬剤師支援方法であって、
コンピュータが、
患者に処方された医薬品の特性情報を記憶するデータベースから、薬剤師が服薬指導時に患者に説明すべき特性情報を選出するステップと、
薬剤師が服薬指導時に使用する情報端末に、患者に説明すべき特性情報を出力するステップと、
特性情報についての服薬指導が完了した旨を記憶するステップと、
を有し、
患者に説明すべき特性情報を選出するステップにおいて、該患者への前回の服薬指導時に選出した特性情報を選出しないことにより、該特性情報とは異なる特性情報を選出する、薬剤師支援方法。
【請求項１０】
患者に服薬指導を行う薬剤師を支援するコンピュータに、
患者に処方された医薬品の特性情報を記憶するデータベースから、薬剤師が服薬指導時に患者に説明すべき特性情報を選出するステップと、
薬剤師が服薬指導時に使用する情報端末に、患者に説明すべき特性情報を出力するステップと、
特性情報についての服薬指導が完了した旨を記憶するステップと、
を実行させるためのプログラムであって、
患者に説明すべき特性情報を選出するステップにおいて、該患者への前回の服薬指導時に選出した特性情報を選出しないことにより、該特性情報とは異なる特性情報を選出する、プログラム。
【手続補正２】
【補正対象書類名】明細書
【補正対象項目名】０００８
【補正方法】変更
【補正の内容】
【０００８】
本発明の一実施形態の薬剤師支援システムは、患者に服薬指導を行う薬剤師を支援する薬剤師支援システムであって、患者に処方された医薬品の特性情報を記憶するデータベースから、薬剤師が服薬指導時に患者に説明すべき特性情報を選出する特性情報選出部と、薬剤師が服薬指導時に使用する情報端末に、患者に説明すべき特性情報を出力する特性情報出力部と、特性情報についての服薬指導が完了した旨を記憶する指導完了記憶部と、を備え、前記特性情報選出部は、患者に説明すべき特性情報を選出する際に、該患者への前回の服薬指導時に選出した特性情報を選出しないことにより、該特性情報とは異なる特性情報を選出する。